(57)【要約】      （修正有）【課題】正確に、かつ容易に、野立ての地上構造物を設置することが可能としローコストで、リサイクル可能な構造物の基礎支柱を提供する。【解決手段】基礎支柱１は、支柱管下部先端に掘削刃３を有する掘削羽根２を設けた単純な構造で、ローコスト化を図り、支柱管上部のフランジ４等は地上構造物の取り合いプレートを併用し、アタッチメントを介して油圧モーターと接続する。さらに、油圧モーターを押し付けながら回転すると、その回転力は支柱管下端の掘削羽根の掘削刃に働き、推進力が生じ支柱は地中に刺さり込み、支柱は地中に設置されて、簡単な施工で工期も短縮し、支柱はリサイクルできる。【選択図】図１
0003179843.tif 000002
【実用新案登録請求の範囲】
【請求項１】
野立ての構造物を設置するための基礎としてパイプを用い、片端には土砂を掘削するためパイプの径より大きい形を有する、ドーナツ状の板の一部を切り欠き、切った板の一方に三角状に折曲する掘削歯を形成した螺旋板をパイプに取付し、パイプのもう一方の端部には、地上構造物の取り合いのためのフランジを取付け、フランジには複数個の取り付け孔を有し、この取り付け孔を用い油圧モーターの先端の回転部と上部フランジを接続するための、アタッチメントを取り付け、回転させて地中に掘進することを可能とする基礎支柱。
【請求項２】
請求項１記載のフランジの上に、さらに重ねて上下移動と回転自在なダブリングプレートを取り付け、基礎支柱上に設置する構造物の方向及びレベル調整を多様に行うことを可能とする請求項１記載の基礎支柱。
【考案の詳細な説明】
【技術分野】
【０００１】  この考案は、野立ての構造物の地中に設置する基礎支柱に関する。
【背景技術】
【０００２】  以下、構造物として野立てのソーラーパネル架台の基礎を例として述べる。【０００３】  従来の野立てのソーラーパネル架台の基礎は、大きく２種類に分けられ、その一つはコンクリートによる基礎と、他に一つは支柱による基礎がある。
【先行技術文献】
【非特許文献】
【０００４】
【非特許文献１】  ＫＲＩＮＮＥＲ社  ＧＲＯＵＮＤ  ＳＣＲＥＷのカタログ
【０００５】
【非特許文献２】  ＭＡＲＵＺＥＮ社  ハンドオーガー・搭載型油圧オーガーのカタログ
【考案の概要】
【考案が解決しようとする課題】
【０００６】  コンクリートによる基礎を作るには、整地、掘削、残土処理、鉄筋加工、型枠取付、コンクリート打設、型枠バラシ、埋め戻しなど、多様な作業が必要とする、もう一つは支柱による基礎で、下部先端方向に従って細くなるいわゆる木ねじ型で、長さ方向に螺旋状の捻子を設け、加工量が多く支柱の体積分の掘削残土が生じ、地上構造物のレベル調整や多様な取合ができないうえ、コストも工期もかかるという問題があった。
【課題を解決するための手段】
【０００７】  本考案の基礎支柱は、野立ての構造物を設置するための基礎としてパイプを用い、片端には土砂を掘削するためパイプの径より大きい形を有する、ドーナツ状の板の一部を切り欠き、切った板の一方に三角状に折曲する掘削歯を形成した螺旋板をパイプに取付し、パイプのもう一方の端部には、地上構造物の取り合いのためのフランジを取付け、フランジには複数個の取り付け孔を有し、この取り付け孔を用い油圧モーターの先端の回転部と上部フランジを接続するための、アタッチメントを取り付け、回転させて地中に掘進することができ、フランジの上にさらに重ねて上下移動と回転自在なダブリングプレートを取り付け、基礎支柱上に設置する構造物の方向及びレベル調整を多様に行うことを可能とする基礎支柱を提供しようとするものである。
【考案の効果】
【０００８】  本考案によれば、傾斜地や地面の凹凸があっても地面に直接ネジ込むだけで、簡単な施工で工期も短縮でき、掘削羽根によって広底効果があり、支持力が得られ掘削羽根の受動抵抗力が引き抜き支持力となり、フランジは、地上構造物の取合プレートとして併用し、多様化でき、上部にフランジ、下部に掘削羽根を設けた単純構造で加工量が少なく安価で、撤去時抜取り、リサイクルでき埋め戻しも必要がない。
【図面の簡単な説明】
【０００９】
【図１】本考案の基礎支柱の全体図である。
【図２】基礎支柱の下部に取り付ける掘削羽根の側面図である。
【図３】基礎支柱の下部に取り付ける掘削羽根の下から見た外観図である。
【図４】油圧モーター１１と基礎支柱の上部のフランジ４を接続するためのアタッチメント１０の概念図である。
【図５】基礎支柱に設置する地上構造物の柱状の脚と支柱のフランジ４との取り合いのために取り付けるダブリングプレート３０の構造図である。
【図６−Ａ】地上構造物の底部が梁状である場合のダブリングプレート４０の構造図である。
【図６−Ｂ】地上構造物の底部が梁状である場合のダブリングプレート４０の構造図である。
【考案を実施するための最良の形態】
【００１０】  本考案の基礎支柱について、以下説明する。
図１は野立ての構造物を設置するための基礎としてパイプを用い、片端には土砂を掘削するためパイプの径より大きい形を有する、ドーナツ状の板の一部を切り欠き、切った板の一方に三角状に折曲する掘削歯を形成した螺旋板をパイプに取付し、パイプのもう一方の端部には、地上構造物の取り合いのためのフランジを取付け、フランジには複数個の取り付け孔を有し、この取り付け孔を用い油圧モーターの先端の回転部と上部フランジを接続するための、アタッチメントを取り付け、回転させて地中に掘進することを可能とする基礎支柱の全体図である。
図３は土砂を掘削するため、パイプの径より大きい形を有するドーナツ状の一部を切り欠き、切った板の一方に三角状に折曲する掘削歯を形成した螺旋板を下方から見た図である。【００１１】  図４は油圧モーター１１の先端の回転部１２と支柱に設けたフランジ４を接続するために用いるアタッチメント１０を示す。  接続方法は、支柱１のフランジ４と同サイズのフランジ１３をボルトで止め、フランジ１３の上部には油圧モーター１１の回転部１２に接続できるシャフト１４が設けており、それらの接続が外れることを防止するために、安全ピン１５で止める。【００１２】  所定のレベルまで支柱１を地中に押し込んだ後に、油圧モーター１１に接続されたアタッチメント１０を外すと、支柱１のフランジ４が現れ、フランジ４に野立てのソーラーパネルの架台を設置するためには、さらにレベル及び方向の微調整のためのダブリングプレート３０又は４０が必要であり、また、支柱の長さ、径は地質と荷重によって決める。【００１３】  ダブリングプレート３０又は４０は、基礎支柱１の上端に設けたフランジ４の上に設置され、かつ、上下移動と回転が自在であり、図５のボルト６又は、図６のセットボルト４３により支柱１に固定できる。【００１４】  野立てのソーラーパネルの架台の形状は様々であるが、大きく２種類に分けられ、その一つは架台を柱で支えるものと、他に一つは架台の底部が梁になって支えるものとがあり、これら二つの架台に適合したレベル微調整などの取り合いに用いるダブリングプレート３０と４０について以下に述べる。【００１５】  図５に野立てのソーラーパネルの架台の脚部が柱になっている場合のダブリングプレート３０を示し、ダブリングプレート３０は支柱１のフランジ４と同サイズの円形とし、ダブリングプレート３０とフランジ４の間にライナープレート３１を数個挟み込み、周辺孔５を通した４本のボルト６で止め、レベルを微調整する。【００１６】  このダブリングプレート３０の上に、ソーラーパネル架台脚部の柱をセットボルト３３により設置する。【００１７】  図６に野立てのソーラーパネルの架台の底部が梁になって支える場合はダブリングプレート４０を示し、この場合は梁が横方向に載るため、ダブリングプレート４０の形状は長方形とすることが好ましい。【００１８】  梁を設置するダブリングプレート４０は、上面に２個の取り付け孔４１を有する長方形で、その下部に支柱管１に内接する内管４２が設【００１９】  この内管４２は支柱管１の内部に差し込まれ、上下のスライドと回転が自在にでき、所定のレベルと方向を微調整したらセットボルト４３により固定し、このダブリングプレート４０の上に、野立てのソーラーパネル架台の梁を設置する。【００２０】  ソーラーパネルと架台との総重量と地盤の地質状況に適合するために必要な本数の支柱１の上部に設けたダブリングプレート３０又は４０にソーラーパネルの架台を設置して、作業は完了する。【００２１】  野立てのソーラーパネルが不要になった時点には、基礎支柱１のフランジ４を油圧モーター１１を逆回転することにより、支柱を引き抜くことができ、埋め戻しは不要である。【００２２】  抜き取った支柱１は、リサイクルし再利用できる。【００２３】  本考��の基礎支柱は、ソーラーパネルの架台、仮設の建物、プレハブ、看板、カーポート、仮設テント、フェンス、ポール、ベンチなどの地上構造物の基礎に利用・応用できる。
【符号の説明】
【００２４】  １      パイプ
２      掘削羽根
３      掘削刃
４      フランジ１
５      周辺孔
６      取り付けボルト
１０      アタッチメント
１１      油圧モーター
１２      回転部
１３      フランジ２
１４      シャフト
１５      安全ピン
３０      円形ダブリングプレート
３１      ライナープレート
３２      センターコア
３３      セットボルト
４０      長方形ダブリングプレート
４１      取り付け孔
４２      内管
４３      セットボルト
【図１】
0003179843.tif 000003
【図２】
0003179843.tif 000004
【図３】
0003179843.tif 000005
【図４】
0003179843.tif 000006
【図５】
0003179843.tif 000007
【図６−Ａ】
0003179843.tif 000008
【図６−Ｂ】
0003179843.tif 000009